(57)【要約】【課題】ブレードを清掃するクリーナを簡易に交換できる手段を提供する。【解決手段】印刷装置１０は、印刷ヘッド２４と、ブレード１１１及びブレードホルダ１１２を有するワイパ１０１と、クリーニング面２０１Ａを有するフォーム２０１と、フォーム２０１を保持するクリーナホルダ２０３と、印刷ヘッド２４の下方に位置するプラテン２５と、開口１２が形成された上壁３３を備えた筐体１４と、開口１２を開閉する取り替え用カバー１９と、を具備する。クリーナ１０２が開口１２の下方にある。前後方向８における開口１２の寸法Ｌ１は、前後方向８におけるピュレ-と２０２の寸法Ｌ３よりも大きい。左右方向９における開口１２の寸法Ｌ２は、左右方向９におけるプレート２０２の寸法Ｌ４よりも大きい。プラテン２５の右端２５Ｒは、筐体１４の右端１４Ｒと開口１２の右端１２Ｒとの間に位置する。【選択図】図２３
2020116850.tif 000002
【特許請求の範囲】
【請求項１】
ノズル孔が開口するノズル面を有するヘッドと、
ブレード、及び当該ブレードを支持するブレードホルダを有するワイパと、
上記ブレードを払拭可能なクリーニング面を有するクリーナと、
上記クリーナを保持するクリーナホルダと、
上記ヘッドの下方に位置しており、上記ノズル面と平行な第１方向に搬送される記録媒体を支持可能な媒体支持部材と、
上記ヘッド、上記ワイパ、上記クリーナ、上記クリーナホルダを収容する内部空間を有しており、当該内部空間を区画しており、当該内部空間と通ずる開口が形成された上壁を少なくとも備えた筐体と、
上記上壁の上記開口を開閉するカバーと、を具備しており、
上記クリーナが上記開口の下方にあり、
上記第１方向における上記開口の寸法は、上記第１方向における上記クリーナの寸法よりも大きく、
上記ノズル面と平行であって上記第１方向と直交する第２方向における上記開口の寸法は、上記第２方向における上記クリーナの寸法よりも大きく、
上記筐体は、上記第２方向における両端である第１端と第２端とを有し、
上記媒体支持部材は、上記第２方向における両端である第３端と第４端とを有し、
上記媒体支持部材の上記第３端は、上記第２方向における上記筐体の上記第１端と上記媒体支持部材の上記第４端との間に位置し、
上記開口は、上記第２方向における両端である第５端と第６端とを有し、
上記開口の上記第５端は、上記第２方向における上記筐体の第１端と上記開口の上記第６端との間に位置し、
上記媒体支持部材の上記第３端は、上記第２方向における上記筐体の上記第１端と上記開口の上記第５端との間に位置する液体吐出装置。
【請求項２】
上記第２方向における上記媒体支持部材の中心線は、上記第２方向における上記筐体の上記第１端と上記開口の上記第５端との間に位置する請求項１に記載の液体吐出装置。
【請求項３】
上記媒体支持部材の上記第４端は、上記第２方向における上記筐体の上記第１端と上記開口の上記第５端との間に位置する請求項１に記載の液体吐出装置。
【請求項４】
上記筐体の上記内部空間に位置するヒータを更に具備しており、
上記ヒータは、上記第２方向における両端である第７端と第８端とを有し、
上記ヒータの上記第７端及び上記第８端は、上記第２方向における上記筐体の上記第１端と上記開口の上記第５端との間に位置する請求項１から３のいずれかに記載の液体吐出装置。
【請求項５】
上記ヘッドの上記ノズル面に上記ブレードが接触可能な第１姿勢、及び当該第１姿勢とは異なる第２姿勢に、上記ブレードの姿勢を変更させる姿勢変更機構を更に具備しており、
上記第１姿勢の上記ブレードと上記ヘッドとは、当該ブレードが上記ノズル面に接触しつつ相対的に移動する第１スライド動作が実行可能であり、
上記第２姿勢の上記ブレードと上記クリーナとは、当該ブレードが上記クリーニング面に接触しつつ相対的に移動する第２スライド動作が実行可能であり、
上記第１スライド動作における上記ブレードと上記ノズル面との相対的な第１スライド方向と、上記第２スライド動作における上記ブレードと上記クリーニング面との相対的な第２スライド方向とは、交差しており、
上記第２スライド動作において、上記ブレードより上記クリーナが上記上壁に近い交換位置に上記クリーナホルダが位置したとき、上記クリーナが上記開口の下方にある請求項１から４のいずれかに記載の液体吐出装置。
【請求項６】
上記第２スライド動作において、静止する上記ブレードに対して上記クリーナホルダが移動する請求項４に記載の液体吐出装置。
【請求項７】
上記第２スライド方向は、上下方向である請求項５又は６に記載の液体吐出装置。
【請求項８】
上記クリーナは、
液体を含浸するフォームであって、その外面が上記クリーニング面であるクリーナ本体と、
上記クリーナ本体を支持しており、上記クリーナホルダに対して上下方向に着脱可能なフォーム支持部材と、を具備しており、
上記フォーム支持部材は、上記クリーナホルダに装着された状態において、上記クリーナ本体より上方へ延びる把持部を有する請求項７に記載の液体吐出装置。
【請求項９】
上記交換位置における上記クリーナの上端は、上記媒体支持部材より上方に位置する請求項７又は８に記載の液体吐出装置。
【請求項１０】
上記交換位置における上記クリーナの上端は、上記ノズル面より上方に位置する請求項７から９のいずれかに記載の液体吐出装置。
【請求項１１】
上記ヘッドを上記第１スライド方向へ案内するガイド部材を更に具備しており、
上記交換位置における上記クリーナの上端は、上記ガイド部材より上方に位置する請求項７から１０のいずれかに記載の液体吐出装置。
【請求項１２】
上記交換位置における上記クリーナの上端は、上記ヘッド、上記ワイパ、上記姿勢変更機構、及び上記媒体支持部材よりも上記開口に近い請求項７から１１のいずれかに記載の液体吐出装置。
【請求項１３】
ユーザの入力を受け付ける入力部と、報知部と、上記第２スライド動作を制御する制御部と、を更に具備しており、
上記制御部は、
上記入力部を通じて、上記クリーナの交換を指示する交換入力を受け付け、
上記交換入力を受け付けたことに基づいて、上記第２スライド動作によって上記クリーナを上記交換位置に移動し、
上記クリーナを移動した後、上記カバーを開放することを促す報知を上記報知部に行わせる請求項７から１２のいずれかに記載の液体吐出装置。
【請求項１４】
ユーザの入力を受け付ける入力部と、他のデバイスとの通信を行う通信部と、上記第２スライド動作を制御する制御部と、を更に具備しており、
上記制御部は、
上記入力部を通じて、上記クリーナの交換を指示する交換入力を受け付け、
上記交換入力を受け付けたことに基づいて、上記第２スライド動作によって上記クリーナを上記交換位置に移動し、
上記クリーナを移動した後、上記カバーを開放することを促す報知を上記デバイスに支持する通知を上記通信部に行わせる請求項７から１２のいずれかに記載の液体吐出装置。
【請求項１５】
上記第１スライド動作において、少なくとも上記ヘッドが待機位置から移動し、
上記制御部は、上記第１スライド動作を更に制御するものであり、
上記制御部は、上記交換入力を受け付けたことに基づいて、上記第１スライド動作によって、上記ヘッドを上記待機位置よりも上記開口から遠い位置へ移動させる請求項１３又は１４に記載の液体吐出装置。
【請求項１６】
上記カバーが上記開口を閉じていることを検知して閉信号を出力するセンサを更に具備しており、
上記制御部は、上記カバーから上記閉信号を受信したことを条件として、上記第２スライド動作によって上記クリーナを上記交換位置に移動する請求項１３から１５のいずれかに記載の液体吐出装置。
【発明の詳細な説明】
【技術分野】
【０００１】
本発明は、ノズル面を拭うワイパがクリーナにより清掃される液体吐出装置に関する。
【背景技術】
【０００２】
印刷ヘッドのノズルから吐出されたインクがシートに付着することによって印刷が行われる印刷装置が知られている。この印刷装置において、ヘッドからインクが強制的に排出されるパージと称されるメンテナンスが行われることがある。パージが行われた後、ヘッドのノズル面には、インクが付着している。このノズル面に付着したインクは、ワイパのブレードによって拭われる。また、ワイパのブレードに付着したインクを清掃するためのクリーナが設けられている（特許文献１参照）。
【先行技術文献】
【特許文献】
【０００３】
【特許文献１】特開２０１６−１９０３６０号公報
【発明の概要】
【発明が解決しようとする課題】
【０００４】
ワイパのブレードを清掃したクリーナには、ブレードに付着していたインクが付着する。クリーナに付着するインクは、ブレードを清掃した回数に応じて増加する。大量にインクが付着したクリーナは、ブレードを十分に清掃できないので、交換されることが望ましい。クリーナの交換作業は、できるだけ簡易であることが望ましい。
【０００５】
本発明は、前述された事情に鑑みてなされたものであり、その目的は、ブレードを清掃するクリーナを簡易に交換できる手段を提供することにある。
【課題を解決するための手段】
【０００６】
本発明に係る液体吐出装置は、ノズル孔が開口するノズル面を有するヘッドと、ブレード、及び当該ブレードを支持するブレードホルダを有するワイパと、上記ブレードを払拭可能なクリーニング面を有するクリーナと、上記クリーナを保持するクリーナホルダと、上記ヘッドの下方に位置しており、上記ノズル面と平行な第１方向に搬送される記録媒体を支持可能な支持部材と、上記ヘッド、上記ワイパ、上記クリーナ、上記クリーナホルダを収容する内部空間を有しており、当該内部空間を区画しており、当該内部空間と通ずる開口が形成された上壁を少なくとも備えた筐体と、上記上壁の上記開口を開閉するカバーと、を具備する。上記クリーナが上記開口の下方にあり、上記第１方向における上記開口の寸法は、上記第１方向における上記クリーナの寸法よりも大きい。上記ノズル面と平行であって上記第１方向と直交する第２方向における上記開口の寸法は、上記第２方向における上記クリーナの寸法よりも大きい。上記筐体は、上記第２方向における両端である第１端と第２端とを有する。上記媒体支持部材は、上記第２方向における両端である第３端と第４端とを有する。上記媒体支持部材の上記第３端は、上記第２方向における上記筐体の上記第１端と上記媒体支持部材の上記第４端との間に位置する。上記開口は、上記第２方向における両端である第５端と第６端とを有する。上記開口の上記第５端は、上記第２方向における上記筐体の第１端と上記開口の上記第６端との間に位置する。上記媒体支持部材の上記第３端は、上記第２方向における上記筐体の上記第１端と上記開口の上記第５端との間に位置する。
【０００７】
クリーナが筐体の開口の下方にあるので、開口を通じてクリーナホルダに対してクリーナを交換しやすい。また、上下方向から視て、筐体の開口が媒体支持部材の第３端及び第４端の両方を露出しないので、開口を通じてユーザが媒体支持部材付近に手を挿入することが抑制される。
【発明の効果】
【０００８】
本発明によれば、ブレードを清掃するクリーナを簡易に交換できる。
【図面の簡単な説明】
【０００９】
【図１】図１は、印刷装置１０の前壁３１側の斜視図である。
【図２】図２は、図１のＩＩ−ＩＩ断面の模式図である。
【図３】図３は、図１のＩＩＩ−ＩＩＩ断面の模式図である。
【図４】図４は、下方向きに視た印刷装置１０の内部構成を示す模式図である。
【図５】図５は、メンテナンスユニット１００の外観を示す斜視図である。
【図６】図６は、ワイパ１０１の外観を示す斜視図である。
【図７】図７は、図６のＶＩＩ−ＶＩＩ断面を示す断面図である。
【図８】図８は、第１フレーム１３１及び第３フレーム１３３の外観を示す斜視図である。
【図９】図９は、第１フレーム１３１及び第３フレーム１３３の外観を示す斜視図である。
【図１０】図１０は、第１フレーム１３１及び第３フレーム１３３の外観を示す斜視図である。
【図１１】図１１は、第１フレーム１３１及び第３フレーム１３３の外観を示す斜視図である。
【図１２】図１２は、第１フレーム１３１及び第３フレーム１３３の前面を示す前面図である。
【図１３】図１３は、第１フレーム１３１及び第３フレーム１３３の後面を示す後面図である。
【図１４】図１４は、第２フレーム１３２及び第３フレーム１３３の外観を示す斜視図である。
【図１５】図１５は、第２フレーム１３２及び第３フレーム１３３の外観を示す斜視図である。
【図１６】図１６は、ワイピング動作を説明するためのメンテナンスユニット１００の上下方向７及び左右方向９に沿った断面図である。
【図１７】図１７は、クリーニング動作を説明するためのメンテナンスユニット１００の上下方向７及び左右方向９に沿った断面図である。
【図１８】図１８は、クリーナ１０２の外観を示す斜視図である。
【図１９】図１９は、クリーナ１０２の外観を示す斜視図である。
【図２０】図２０は、クリーナ１０２の外観を示す分解斜視図である。
【図２１】図２１は、クリーナ１０２の外観を示す分解斜視図である。
【図２２】図２２は、第３位置のクリーナ１０２と印刷ヘッド２４を示す模式図である。
【図２３】図２３は、開口１２と、プレート２０２、プラテン２５、ヒータ２６の配置を示す平面図である。
【図２４】図２４は、変形例に係る開口１２を示す平面図である。
【図２５】図２５は、印刷装置１０とパソコン２５０とが通信可能に接続された変形例を示す模式図である。
【発明を実施するための形態】
【００１０】
以下、本発明の実施形態に係る印刷装置１０について説明する。なお、以下に説明される実施形態は本発明の一例にすぎず、本発明の要旨を変更しない範囲で、実施形態を適宜変更できることは言うまでもない。また、以下の説明では、矢印の起点から終点に向かう進みが向きと表現され、矢印の起点と終点とを結ぶ線上の往来が方向と表現される。また、以下の説明においては、印刷装置１０が使用可能に設置された状態（図１の状態）を基準として上下方向７が定義され、排出口１３が設けられている側を手前側（前面）として前後方向８（第１方向の一例）が定義され、印刷装置１０を手前側（前面）から視て左右方向９（第２方向の一例）が定義される
【００１１】
［印刷装置１０の外観構成］
図１に示されるように、印刷装置１０（液体吐出装置の一例）は、インクジェット記録方式でロール紙１１（図２参照）などに画像を記録する。筐体１４は、前壁３１に排出口１３が形成された概ね直方体形状である。排出口１３は、前壁３１の右部に位置する。筐体１４は、卓上に載置可能な大きさである。すなわち、印刷装置１０は、卓上に載置されて使用されるに適している。もちろん、印刷装置１０は、床面に載置されて使用されてもよい。
【００１２】
前壁３１における排出口１３の左方に、操作パネル１７が位置する。操作パネル１７は、例えば、ディスプレイ１７Ａ（報知部の一例）や入力キー１７Ｂ（入力部の一例）などを有する。ユーザは、操作パネル１７において印刷装置１０を動作させたり各種設定を確定したりするための入力を行う。
【００１３】
操作パネル１７の下方にカバー１６が設けられている。カバー１６が開かれることにより、筐体１４の内部空間が露出される。カバー１６の後方には後述するタンク７０（図２参照）が位置する。閉じられた状態のカバー１６は、筐体１４の前壁３１の一部である。
【００１４】
筐体１４の上壁３３には、取り替え用カバー１９（カバーの一例）が設けられている。取り替え用カバー１９は、上壁３３の開口１２を開閉する。開口１２は、メンテナンスユニット１００（図３参照）の上方に位置する。換言すれば、クリーナ１０２は、開口１２の下方に位置する。取り替え用カバー１９が開かれることにより、筐体１４の内部空間であって、メンテナンスユニット１００の上方が露出される。筐体１４の上壁には、閉じた状態の取り替え用カバー１９を検知するセンサ２３が設けられている。センサ２３は、取り替え用カバー１９を検知したことに応じてローレベル信号（閉信号の一例）を制御基板７４へ出力し、取り替え用カバー１９を検知していないことに応じてハイレベル信号を制御基板７４へ出力する。上壁３３は、筐体１４の内部空間を区画する。
【００１５】
［印刷装置１０の内部構成］
図３及び図４に示されるように、筐体１４の内部空間に、仕切壁７１が設けられている。仕切壁７１は、上下方向７及び前後方向８に拡がる壁である。換言すると、仕切壁７１は、上下方向７及び前後方向８に延びている。図３に示されるように、仕切壁７１の上端は筐体１４の後壁３３と繋がっており、仕切壁７１の下端は筐体１４の下壁３４と繋がっている。図４に示されるように、仕切壁７１の前端は筐体１４の前壁３１と繋がっており、仕切壁７１の後端は筐体１４の後壁３２と繋がっている。
【００１６】
筐体１４の内部空間は、第１空間８１及び第２空間８２よりなる。第１空間８１は、筐体１４の内部空間のうち、仕切壁７１より右の部分である。第２空間８２は、筐体１４の内部空間のうち、仕切壁７１より左の部分である。つまり、仕切壁７１は、第１空間８１と第２空間８２の間に位置している。仕切壁７１は、開口７２を有している。第１空間８１及び第２空間８２は、開口７２を通じて繋がっている。
【００１７】
図４に示されるように、第１空間８１には、搬送路２２が形成されている。第１空間８１には、ロール紙１１（図２及び図３参照）、給送ローラ２０（図２参照）、給送ローラ２１、第１搬送ローラ対５４、第２搬送ローラ対５５、プラテン２５、及びヒータ２６が配置されている。第２空間８２には、タンク７０、キャップ７３、制御基板７４、電源回路７５、及びメンテナンスユニット１００が配置されている。印刷ヘッド２４は、キャリッジ２４１と、キャリッジ２４１に搭載される吐出モジュール２４２とを備える。キャリッジ２４１は、左右方向９に沿って延びる２つのガイドレール２４４（ガイド部材の一例）に案内されて、左右方向９に移動可能である。したがって、印刷ヘッド２４は、第１空間８１及び第２空間８２の何れにも位置し得る。
【００１８】
図２〜図４に示されるように、印刷ヘッド２４は、２つの吐出モジュール２４２を有する。２つの吐出モジュール２４２は、印刷ヘッド２４において、前後方向８に離れて配置されている。２つの吐出モジュール２４２には、複数のノズル３０が左右方向９に並んでそれぞれ配置されている。
【００１９】
図２に示されるように、第１空間８１は、ロール紙１１を収容可能なシート収容空間１５を有する。シート収容空間１５は、第１空間８１の後部に形成されている。シート収容空間１５は、隔壁１８によって画定された空間である。シート収容空間１５において、ロール紙１１は、左右方向９をロール軸方向として収容されている。シート収容空間１５は、後部において上方へ向かって開口している。隔壁１８と、後壁３２との間に、ロール紙１１から引き出されたシートが通過可能な隙間２９が形成されている。
【００２０】
給送ローラ２０は、シート収容空間１５に位置する。給送ローラ２１は、第１空間８１のうちシート収容空間１５の直上に位置する。ロール紙１１から後方へ引き出されたシートは、給送ローラ２０に巻き付いて上方へ延び、さらに給送ローラ２１へ巻き付いて前方へ延びている。給送ローラ２１の円周面の最上位置は、上下方向７において、排出口１３と同等である。
【００２１】
図２及び図４に示されるように、給送ローラ２１と排出口１３とに亘って搬送路２２が形成されている。搬送路２２は、ほぼ直線状に延びている。搬送路２２は、シートが通過可能な空間である。各図には詳細に示されていないが、搬送路２２は、上下方向７に離れて位置するガイド部材や印刷ヘッド２４、プラテン２５、ヒータ２６などによって画定されている。搬送路２２において、前向きが搬送向きである。
【００２２】
図２に示されるように、搬送路２２における印刷ヘッド２４よりも搬送向きの上流に、第１搬送ローラ対５４が設けられている。第１搬送ローラ対５４は、第１搬送ローラ６０とピンチローラ６１とを有する。搬送路２２において、ヒータ２６よりも搬送向きの下流に、第２搬送ローラ対５５が設けられている。第２搬送ローラ対５５は、第２搬送ローラ６２とピンチローラ６３とを有する。第１搬送ローラ６０及び第２搬送ローラ６２は、モータ（不図示）の回転が伝達されて回転する。第１搬送ローラ対５４及び第２搬送ローラ対５５は、それぞれを構成する各ローラの間にロール紙１１から延びたシートを挟持した状態において、第１搬送ローラ６０及び第２搬送ローラ６２が回転することによって、シートを搬送向きに搬送する。
【００２３】
第１搬送ローラ対５４と第２搬送ローラ対５５との間の搬送路２２に、印刷ヘッド２４、プラテン２５、及びヒータ２６が位置する。また、第１搬送ローラ対５４と第２搬送ローラ対５５との間の搬送路２２には、他の搬送ローラは位置していない。
【００２４】
キャリッジ２４１は、筐体１４の内部空間に、前後方向８に間隔を空けて配置された一対のガイドレール（不図示）によって支持されている。一対のガイドレールの各々は、第１空間８１から第２空間８２に亘って延びている。前後方向８における一対のガイドレールの間に、開口７２が位置している。キャリッジ２４１は、公知のベルト機構を介してモータ（不図示）と連結されている。これにより、キャリッジ２４１は、吐出モジュール２４２とともに左右方向９に沿って移動可能である。なお、キャリッジ２４１を移動させるための構成は、ベルト機構以外にも公知の構成が採用可能である。
【００２５】
搬送路２２は、印刷ヘッド２４と上下方向７に対向する位置において前後方向８に沿って延びている。つまり、印刷ヘッド２４が移動する左右方向９は、搬送路２２が延びる前後方向８と直交している。なお、印刷ヘッド２４が移動する方向は、搬送路２２が延びる方向と交差していればよく、必ずしも直交している必要はない。
【００２６】
印刷ヘッド２４は、図３及び図４に実線で示された第１位置と、図３及び図４に破線で示された第２位置（待機位置の一例）とに移動可能である。第１位置の印刷ヘッド２４は、第１空間８１に位置する。第２位置の印刷ヘッド２４は、第２空間８２に位置する。印刷ヘッド２４は、第１位置から第２位置へ移動するとき、及び第２位置から第１位置へ移動するときに、開口７２を通過する。つまり、開口７２は、印刷ヘッド２４が通過可能な大きさである。
【００２７】
第１位置の印刷ヘッド２４は、第１搬送ローラ対５４よりも搬送向きの下流において、搬送路２２を挟んでプラテン２５と対向しており、プラテン２５及び搬送路２２の上方に位置している。第２位置の印刷ヘッド２４は、搬送路２２から左へ退避している。第２位置の印刷ヘッド２４は、キャップ７３と対向してキャップ７３の上方に位置している。２つのキャップ７３の配置は、上方に位置する印刷ヘッド２４の２つの吐出モジュール２４２の配置に対応している。
【００２８】
印刷ヘッド２４は、第１位置のときに搬送路２２及びプラテン２５（またはプラテン２５に支持されているシート）へ向けて、複数のノズル３０（ノズル孔の一例）からインクを吐出する。印刷ヘッド２４は、第２位置のときにキャップ７３内の空間へ向けて、複数のノズル３０からインクを吐出する。
【００２９】
図４に示されるように、複数のノズル３０は、吐出モジュール２４２の下面において、左右方向９に並んで形成されている。なお、図４では、複数のノズル３０は、各吐出モジュールにおいて一列のみ示されているが、複数のノズル３０は、１つの吐出モジュール２４２において搬送向きに複数列が設けられている。印刷ヘッド２４が第１位置に位置するときに、複数のノズル３０の左右方向９の両端が、搬送路２２の左右方向９の両端と対向する。図４に示されるように、第２空間８２であってカバー１６の後方に、タンク７０が位置する。タンク７０にインクが貯留される。図示されていないが、タンク７０からチューブ７６を通じてインクが印刷ヘッド２４に供給される。
【００３０】
インクは、顔料や樹脂微粒子などを含む液体であり、所謂ラテックスインクである。インクは、顔料や樹脂微粒子を均一に分散させるに適した粘度を有している。顔料は、インクの色となるものである。樹脂微粒子は、シートに顔料を付着するためのものであり、例えば、ヒータ２６の加熱によってガラス転移温度を超える合成樹脂である。ラテックスインクは、その他の公知の成分を組成として含む。
【００３１】
図２及び図３に示されるように、第１位置の印刷ヘッド２４の下方に、プラテン２５（媒体支持部材の一例））が位置する。プラテン２５は、その上面がシートの支持面である。各図には現れていないが、プラテン２５の上面には、吸引圧が生ずる開口が形成されている。プラテン２５の上面に生じた吸引圧によって、シートがプラテン２５の上面に密接する。
【００３２】
第２位置の印刷ヘッド２４は、キャップ７３と対向してキャップ７３の上方に位置している。
【００３３】
キャップ７３は、モータ７８と伝達ギア及びカムを介して繋がり、モータ７８から駆動力が伝達されることによって上下方向７に移動可能である。詳細には、キャップ７３は、図３に破線で示されるキャップ位置と、図３に実線で示されるアンキャップ位置とに移動可能である。キャップ位置のキャップ７３は、下方から印刷ヘッド２４の下面に密着して、下方から複数のノズル３０を覆う。このときのキャップ７３及び印刷ヘッド２４の状態がキャップ状態である。アンキャップ位置は、キャップ位置より下方である。アンキャップ位置のキャップ７３は、複数のノズル３０から離間している。このとき、複数のノズル３０は、キャップ７３に覆われることなく露出している。このときのキャップ７３及び印刷ヘッド２４の状態がアンキャップ状態である。アンキャップ位置のキャップ７３の上端は、開口７２より下方に位置している。
【００３４】
なお、開口７２は、上下及び前後の全てが仕切壁７１によって区画されたもの（つまり仕切壁７１に設けられた貫通孔）に限らない。例えば、開口７２は、仕切壁７１の上端から下方へ切り欠かれた切り欠きであってもよい。
【００３５】
キャップ７３には、チューブ７７の一端が接続されている。チューブ７７は、可撓性を有する樹脂チューブである。チューブ７７の他端は、廃インクタンク（不図示）に接続されている。キャップ７３がキャップ位置に位置するときに、ノズル３０からインクが空吐出された場合、インクはチューブ７７を通じて廃インクタンクへ排出される。
【００３６】
図２に示されるように、搬送路２２の上方において、印刷ヘッド２４の下流であって、且つ第２搬送ローラ対５５の上流に、ヒータ２６が位置する。
【００３７】
図４に示されるように、ヒータ２６は、開口７２よりも搬送向きの下流に位置する。つまり、ヒータ２６及び開口７２は、搬送向きにおいて互いに外れて位置する。
【００３８】
ヒータ２６は、所謂ハロゲンヒータである。図２に示されるように、ヒータ２６は、赤外線を放射する発熱体であるハロゲンランプ４０、反射板４１、及び筐体４２を有する。筐体４２は、概ね直方体形状である。筐体４２の下壁に、左右方向９に沿った開口４３が形成されている。開口４３を通じて、ハロゲンランプ４０や反射板４１からの熱が外部へ放射される。筐体４２の内部空間に、ハロゲンランプ４０が位置する。ハロゲンランプ４０は、細長な円筒形状であり、左右方向９が長手方向である。筐体４２の内部空間において、ハロゲンランプ４０の上方に、反射板４１が位置する。反射板４１は、セラミック膜などがコーティングされた金属板であり、開口４３付近を中心軸とする円弧形状に湾曲している。なお、反射板４１に代えて、セラミック膜などがコーティングされたハロゲンランプ４０が用いられてもよい。
【００３９】
ヒータ２６は、開口４３の下方を通過するシート、または当該シートに付着したインクの少なくとも一方を加熱する。本実施形態では、ヒータ２６は、シート及びインクの双方を加熱する。インクが加熱されることによって、樹脂微粒子がガラス転移し、ヒータ２６の下方を通過したシートが冷えることによって、ガラス転移した樹脂が硬化する。これにより、シートにインクが定着される。
【００４０】
また、図２に示されるように、操作パネル１７の後方には、操作パネル１７に接続する基板１７Ａが設けられる。
【００４１】
図４に示されるように、第２空間８２に、制御基板７４及び電源回路７５が配置されている。なお、図４に示された制御基板７４及び電源回路７５の配置位置は一例であり、制御基板７４及び電源回路７５は第２空間８２の任意の位置に配置され得る。
【００４２】
制御基板７４は、ガラスエポキシなどで構成された基板である。また、制御基板７４は、ＣＰＵ、ＲＯＭ、ＲＡＭ、ＡＳＩＣなどで構成された制御回路が実装されている。すなわち制御基板７４が、制御部の一例である。ＣＰＵがＲＯＭに記憶されたプログラムを実行し、ＡＳＩＣが設定された特定の機能を果たすことによって、印刷装置１０の動作が制御される。
【００４３】
電源回路７５は、大容量コンデンサなどによって構成された回路である。本実施形態において、電源回路７５は、紙フェノールなどで構成された基板に実装されている。電源回路７５は、印刷装置１０が備える各構成要素への給電のための電力の変換などを行う回路である。
【００４４】
［メンテナンスユニット１００］
図３及び図４に示されるように、メンテナンスユニット１００は、第２空間８２において、印刷ヘッド２４が移動する第１位置と第２位置との間に位置する。メンテナンスユニット１００は、印刷ヘッド２４においてノズル３０が開口する吐出モジュール２４２の下面、すなわちノズル面２４３に付着したインクを除去するものである。例えば、第２位置において、印刷ヘッド２４がキャップ７３内へノズル３０からインクを吐出したり、キャップ７３内が負圧にされることによってノズル３０からインクが吸引されたりすると、ノズル面２４３にインクが付着する。このインクが、メンテナンスユニット１００によって、ノズル面２４３から除去される。
【００４５】
図５に示されるように、メンテナンスユニット１００は、ワイパ１０１、クリーナ１０２、及び回動機構１０３（姿勢変更機構の一例）を有する。ワイパ１０１は、前後方向８に沿って２つが並んでいる。各ワイパ１０１は、印刷ヘッド２４のノズル３０の配置に対応している。印刷ヘッド２４の複数のノズル３０が、前後方向８に沿って２つの群に分かれていれば、本実施形態に示されるように、前後方向８に沿って並んだ２つのワイパ１０１によって、２つのノズル３０の群付近のノズル面２４３が各ワイパ１０１によって拭われる。なお、ワイパ１０１の個数は、印刷ヘッド２４のノズル３０の配置に応じて、１つであってもよいし、３つ以上であってもよい。複数のワイパ１０１が設けられることによって、１つのワイパ１０１を小型にできる。小型なワイパ１０１は、成形における歪みや、回動時の変形が生じ難い。
【００４６】
２つのワイパ１０１は、同じ形状なので、図６及び図７に示される１つのワイパ１０１を例に構成が詳細に説明される。ワイパ１０１は、ブレード１１１とブレードホルダ１１２とを有する。図５及び図６には、第１位置のワイパ１０１が示されている。
【００４７】
ブレード１１１は、厚みが薄い平板形状であり、例えばゴムやエラストマー樹脂のような容易に弾性変形可能な素材からなる。ブレード１１１は、ブレードホルダ１１２から突出する一端１１１Ａが、前後方向８に沿っている。すなわち、一端１１１Ａは、前後方向８に沿って延びている。
【００４８】
ブレードホルダ１１２は、ブレード１１１を支持する合成樹脂の成形品である。ブレードホルダ１１２は、図６に示される断面の形状がクランク形状の仕切壁１１３、仕切壁１１３の前後方向８の両端にそれぞれ位置する２つの側壁１１４、側壁１１４の下端と仕切壁１１３とを繋ぐ底壁１１５を有する。
【００４９】
仕切壁１１３は、上部１１３Ｕ、中部１１３Ｍ、及び下部１１３Ｌを有する。第１位置のワイパ１０１において、上部１１３Ｕは、上下方向７及び前後方向８に拡がっている。中部１１３Ｍは、上部１１３Ｕの下端から左右方向９の左向きへ延びて、前後方向８及び左右方向９へ拡がっている。下部１１３Ｌは、中部１１３Ｍの下端から上下方向７の下向きへ延びて、上下方向７及び前後方向８に拡がっている。上部１１３Ｕと下部１１３Ｌとは平行である。中部１１３Ｍは、上部１１３Ｕ及び下部１１３Ｌと直交する。
【００５０】
ブレード１１１は、中部１１３Ｍの上面から上部１１３Ｕに沿って上下方向７の上向きへ延びている。上部１１３Ｕ、中部１１３Ｍ、及び下部１１３Ｌそれぞれの前後方向８に沿った寸法は等しい。したがって、上部１１３Ｕ、中部１１３Ｍ、及び下部１１３Ｌそれぞれの前後方向８の端は、前後方向８の両端において、それぞれが１つの平面を構成している。
【００５１】
２つの側壁１１４は、前後方向８を厚み方向とする平板形状である。２つの側壁１１４は、仕切壁１１３の上部１１３Ｕ、中部１１３Ｍ、及び下部１１３Ｌそれぞれの前後方向８の端に接続されている。２つの側壁１１４は、仕切壁１１３から左右方向９の左向きへそれぞれ突出しており、また、中部１１３Ｍ及び下部１１３Ｌから左右方向９の右向きへそれぞれ突出している。また、２つの側壁１１４の下端は、下部１１３の下端よりも上方に位置する。したがって、各側壁１１４は、仕切壁１１３の中部１１３Ｍの前後方向８の両端からそれぞれ下方へ延びる部分を有する。
【００５２】
仕切壁１１３の下部１１３Ｌであって、側壁１１４の下端より下方には、下部１１３Ｌの前後方向８の両端から左右方向９へリブ１２３が延びている。リブ１２３は、側壁１１４の下端と連続している。
【００５３】
２つの側壁１１４において、仕切壁１１３の中部１１３Ｍより下方であって、且つ下部１１３Ｌの下端より上方の位置に、前後方向８に沿って側壁１１４を貫通する貫通孔１１６が形成されている。各側壁１１４に形成された各貫通孔１１６の各軸線は一致する。各側壁１１４は、貫通孔１１６から前後方向８の前向き又は後ろ向きへ、すなわちブレード１１１が存在しない向きへ突出する円筒部１１７を有する。各円筒部１１７の軸線は、各貫通孔１１６の軸線と一致する。
【００５４】
各貫通孔１１６及び各円筒部１１７には、前後方向８に延びる１本のシャフト１１８が挿通される。２つのブレードホルダ１１２に対して１本のシャフトが１１８が挿通される。各ブレードホルダ１１２は、シャフト１１８に対して固定されている。つまり、シャフト１１８は、２つのブレードホルダ１１２を一体に連結している。仕切壁１１３は、上下方向７において、ブレード１１１とシャフト１１８との間に位置している。
【００５５】
底壁１１５は、側壁１１４の貫通孔１１６より下方であって、且つ仕切壁１１３の下部１１３Ｌの下端より上方に位置する。底壁１１５は、仕切壁１１３の下部１１３Ｌから左右方向９の右向きへ延びている。底壁１１５は、２つの側壁１１４の各下端を繋いでいる。底壁１１５は、仕切壁１１３の中部１１３Ｍと平行である。貫通孔１１６に挿通されたシャフト１１８の上方には、仕切壁１１３の中部１１３が位置しており、また、シャフト１１８の下方には底壁１１５が位置する。
【００５６】
底壁１１５の前後方向８の中央付近から上下方向７の下向きへリブ１１９が突出している。リブ１１９は、底壁１１５の右端より右方へ突出している。リブ１１９において、底壁１１５の右端より右方には、前後方向８にリブ１１９を貫通する貫通孔１２０が形成されている。貫通孔１２０は、貫通孔１１６の径方向に沿った寸法が、兼通行１１６の周方向に沿った寸法より長い長穴である。２つのブレードホルダ１１２の各貫通孔１１６には、１本の入力軸１４４が挿通される。
【００５７】
２つの側壁１１４は、仕切壁１１３の上部１１３Ｕと平行に延びて、前後方向８のブレード１１１が存在する向きへ突出するリブ１２１をそれぞれ有する。上部１１３Ｕとリブ１２１との間にブレード１１１が位置する。また、ブレード１１１とリブ１２１との間に留め具１２２が位置する。各リブ１２１は、留め具１２２が左右方向９の左向きへ移動することを規制している。上部１１３Ｕと留め具１２２とに挟持されることによって、ブレード１１１がブレードホルダ１１２に固定される。ブレードホルダ１１２に固定されたブレード１１１は、仕切壁１１３の上部１１３Ｕと平行である。したがって、ブレード１１１は、上部１１３Ｕに沿って延びている。
【００５８】
回動機構１０３は、ブレードホルダ１１２をシャフト１１８周りに回動することによって、ブレード１１１を第１位置と第２位置とに姿勢変化させる。第１位置のブレード１１１は、左右方向９に移動する印刷ヘッド２４のノズル面２４３と接触可能である。第２位置のブレード１１１は、ノズル面２４３と平行であり、ノズル面２４３とは接触しない。
【００５９】
図５に示されるように、回動機構１０３は、第１フレーム１３１、第２フレーム１３２、及び第３フレーム１３３を有する。第１フレーム１３１は、ワイパ１０１、ギア列１３４、１３５を支持する。第２フレーム１３２は、クリーナ１０２を支持する。第３フレーム１３３は、モータ１０４、ギア列１３６を支持する。ギア列１３６は、モータ１０４の駆動をクリーナ１０２に伝達する。第１フレーム１３１、第２フレーム１３２、及び第３フレーム１３３は相互に連結されている。
【００６０】
図８及び図９に示されるように、第１フレーム１３１は、前壁１４１、後壁１４２、及び側壁１４３を有する。前壁１４１、後壁１４２、及び側壁１４３は、１枚の金属板が折り曲げられて形成されている。また、第１フレーム１３１は、前壁１４１、後壁１４２、及び側壁１４３の他に、第２フレーム１３２及び第３フレーム１３３との連結や、筐体１４との連結のためなどに折り曲げ部分が適宜形成されている。
【００６１】
前壁１４１と後壁１４２とは、上下方向７及び左右方向９に拡がっている。前壁１４１と後壁１４２とは平行であって前後方向８に離間している。側壁１４３は、前壁１４１の右端及び後壁１４２の右端と連続している。
【００６２】
ブレードホルダ１１２に挿通されたシャフト１１８は、前壁１４１及び後壁１４２を貫通する貫通孔に挿通されている。２つのブレードホルダ１１２は、前後方向８において、前壁１４１と後壁１４２との間に位置する。２つのブレードホルダ１１２は、前壁１４１及び後壁１４２に回転可能に支持されたシャフト１１８を回転軸として回動可能である。
【００６３】
図８から図１３に示されるように、前壁１４１及び後壁１４２にはスリット１４５，１４６がそれぞれ形成されている。スリット１４５，１４６は、シャフト１１８の周方向に延びている。スリット１４５，１４６は、シャフト１１８の下方から側壁１４３が存在する向きへ延びてシャフト１１８の斜め上方へ至っている。
【００６４】
スリット１４５，１４６には、入力軸１４４が挿通されている。ブレード１１１が第１位置と第２位置とに姿勢変化するときに、入力軸１４４は、スリット１４５，１４６内を移動する。つまり、スリット１４５，１４６は、入力軸１４４の移動軌跡に沿って延びている。
【００６５】
前壁１４１の前方において、シャフト１１８の前端と入力軸１４４の前端とが、連結材１４７によって連結されている。後壁１４２の後方において、シャフト１１８の後端と入力軸１４４の後端とが、連結材１４８によって連結されている。
【００６６】
受け皿１３７は、前後方向８において、前壁１４１と後壁１４２との間に位置する。また、受け皿１３７は、ブレードホルダ１１２の下方に位置する。受け皿１３７は、ブレード１１１などから滴下又は流れ落ちたインクを貯留する。
【００６７】
前壁１４１の前面側（ブレードホルダ１１２が存在する側と反対側）には、ギア列１３４が位置する。前壁１４１はギア列１３４を支持している。後壁１４２の後面側（ブレードホルダ１１２が存在する側と反対側）には、ギア列１３５が位置する。後壁１４２はギア列１３５を支持している。ギア列１３４，１３５は、モータ１０４の回転を入力軸１４４にそれぞれ伝達する。
【００６８】
図８、図９及び図１２に示されるように、ギア列１３４は、直列に噛合する３つのギア１５１，１５２，１５３と、ベベルギア１６４とを有する。ギア１５１は、シャフト１１８及び入力軸１４４の下方に位置する。ギア１５１の軸線は、シャフト１１８の軸線及び入力軸１４４の軸線と平行である。連結棒１５４は、ギア１５１の軸線から径方向へ離れた箇所と、入力軸１４４の前端とを連結している。連結棒１５４は、ギア１５１の回転を、入力軸１４４のシャフト１１８周りの往復運動として伝達する。
【００６９】
ギア１５２は、ギア１５１の下方に位置してギア１５１と噛合している。ギア１５２の軸線は、シャフト１１８の軸線及び入力軸１４４の軸線と平行である。
【００７０】
ギア１５３は、ギア１５２の下方に位置してギア１５２と噛合している。ギア１５３の軸線は、シャフト１１８の軸線及び入力軸１４４の軸線と平行である。図１２において破線で示されるように、ギア１５３は、ギア１５３の周方向に沿ってギア１５３から後方へ、すなわち前壁１４１へ向かって突出するロック壁１５７を有する。ロック壁１５７は、ギア１５２の周方向の一部にのみ存在し、全周に沿っては存在しない。ストッパ１５８がロック壁１５７と係合することによって、ギア１５３の一方向の回転（図１２における時計回りの回転）が規制される。ブレード１１１が第２位置であるとき、ストッパ１５８がロック壁１５７と係合する。
【００７１】
図９に示されるように、ストッパ１５８は、前壁１４１に支持されている。ストッパ１５８は、ギア１５３の軸線と平行な軸１５９周りに回転する。引きバネ１６０は、ストッパ１５８の下端と前壁１４１との間に位置する。引きバネ１６０は、ストッパ１５８を、図１２における反時計回りに付勢する。図９に示されるように、前壁１４１には当て壁１４９が形成されている。当て壁１４９は、ストッパ１５８の下端側と当接して、ストッパ１５８の反時計回りの回転を規制する。ストッパ１５８は、当て壁１４９に当接した状態から、引きバネ１６０の付勢力に抗して、図１２における時計回りに回転可能である。
【００７２】
図１２に破線で示されるように、ストッパ１５８の上端には、鈎状の係止部１６１が形成されている。係止部１６１は、ロック面１６２と摺動面１６３とを有する。ロック面１６２は、ロック壁１５７の周方向の一端面１５７Ａに、凡そ直交して当接する。ロック面１６２がロック壁１５７の周方向の一端面１５７Ａに当接することによって、ギア１５３の一方向の回転が規制される。摺動面１６３は、ロック壁１５７の周方向の他端面１５７Ｂと直交せずに当接する。摺動面１６３が、ロック壁１５７の他端面１５７Ｂと当接した状態からギア１５３が他方向（図１２における反時計回り）に回転すると、ロック壁１５７の他端面１５７Ｂが摺動面１６３を摺動し、ストッパ１５８が、引きバネ１６０の付勢力に抗して、図１２における時計回りに回転する。
【００７３】
図８及び図９に示されるように、ベベルギア１６４は、ギア１５３の下方に位置してギア１５３と噛合している．ベベルギア１６４の軸線は、シャフト１１８の軸線及び入力軸１４４の軸線と平行である。
【００７４】
図１０、図１１及び図１３に示されるように、ギア列１３５は、直列に噛合する３つのギア１７１，１７２，１７３を有する。ギア１７１は、シャフト１１８及び入力軸１４４の下方に位置する。ギア１７１の軸線は、シャフト１１８の軸線及び入力軸１４４の軸線と平行である。連結棒１７４は、ギア１７１の軸線から径方向へ離れた箇所と、入力軸１４４の後端とを連結している。連結棒１７４は、ギア１７１の回転を、入力軸１４４のシャフト１１８周りの往復運動として伝達する。
【００７５】
ギア１７２は、ギア１７１の下方に位置してギア１７１と噛合している。ギア１７２の軸線は、シャフト１１８の軸線及び入力軸１４４の軸線と平行である。ギア１７２は、ギア１７２の周方向に沿ってギア１７２から前方へ、すなわち前壁１４１から離れる向きへ突出する被検知壁１７５を有する。被検知壁１７５は、ギア１７２の周方向の一部にのみ存在し、全周に沿っては存在しない。被検知部１７５が光学センサ１７６に検知されることにより、ギア１７２の回転位置が判定される。
【００７６】
ギア１７３は、ギア１７２の下方に位置してギア１７２と噛合している。ギア１７３の軸線は、シャフト１１８の軸線及び入力軸１４４の軸線と平行である。図１３に破線で示すように、ギア１７３は、ギア１７３の周方向に沿ってギア１７３から前方へ、すなわち後壁１４２へ向かって突出するロック壁１７７を有する。ロック壁１７７は、ギア１７２の周方向の一部にのみ存在し、全周に沿っては存在しない。ストッパ１７８がロック壁１７７と係合することによって、ギア１７３の一方向の回転（図１３における反時計回りの回転）が規制される。ブレード１１１が第２位置であるとき、ストッパ１７８がロック壁１７７と係合する。
【００７７】
図１１及び図１３に示されるように、ストッパ１７８は、後壁１４２に支持されている。ストッパ１７８は、ギア１７３の軸線と平行な軸１７９周りに回転する。引きバネ１８０は、ストッパ１７８の下端と後壁１４２との間に位置する。引きバネ１８０は、ストッパ１７８を、図１３における時計回りに付勢する。後壁１４２には当て壁１５０が形成されている。当て壁１５０は、ストッパ１７８の下端側と当接して、ストッパ１７８の反時計回りの回転を規制する。ストッパ１７８は、当て壁１５０に当接した状態から、引きバネ１８０の付勢力に抗して、図１３における反時計回りに回転可能である。
【００７８】
図１３に破線で示されるように、ストッパ１７８の上端には、鈎状の係止部１８１が形成されている。係止部１８１は、ロック面１８２と摺動面１８３とを有する。ロック面１８２は、ロック壁１７７の周方向の一端面１７７Ａに、凡そ直交して当接する。ロック面１８２がロック壁１７７の周方向の一端面１７７Ａに当接することによって、ギア１７３の一方向の回転が規制される。摺動面１８３は、ロック壁１７７の周方向の他端面１７７Ｂと直交せずに当接する。摺動面１８３が、ロック壁１７７の他端面１７７Ｂと当接した状態からギア１７３が他方向（図１３における時計回り）に回転すると、ロック壁１７７の他端面１７７Ｂが摺動面１８３を摺動し、ストッパ１７８が、引きバネ１８０の付勢力に抗して、図１３における反時計回りに回転する。
【００７９】
図８及び図１０に示されるように、ギア１５３及びギア１７３は、軸１８４に支持されている。軸１８４は、前壁１４１及び後壁１４２にそれぞれ設けられた軸受け１８５，１８６を介して前壁１４１及び後壁１４２に回転可能に支持されている。前後方向８における前壁１４１と後壁１４２との間において、軸１８４は、ブレードホルダ１１２より下方に位置する。また、軸１８４は、受け皿１３７より上方に位置する。
【００８０】
図８及び図１０に示されるように、第３フレーム１３３は、モータ１０４及びギア列１３６を支持する。モータ１０４は、出力軸１３８を有している。出力軸１３８にはギア１３９が固定されている。モータ１０４が駆動されると、出力軸１３８と共にギア１３９が回転する。出力軸１３８は、左右方向９に沿って延びている。
【００８１】
ギア列１３６は、減速ギア１９１、ギア１９２、太陽ギア１９３、遊星ギア１９４、及びベベルギア１９６を有する。減速ギア１９１、ギア１９２、太陽ギア１９３、及びベベルギア１９６は、第３フレーム１３３に回転可能に支持されている。減速ギア１９１、ギア１９２、太陽ギア１９３、遊星ギア１９４、及びベベルギア１９６の各軸線は、いずれも左右方向９に沿っている。
【００８２】
減速ギア１９１は、ギア１３９及びギア１９２と噛合している。減速ギア１９１は、ギア１３９の回転を所定の減速比でギア１９２に伝達する。太陽ギア１９３は、ギア１９２と噛合している。遊星ギア１９４は、太陽ギア１９３の軸に回動可能に連結された支持アーム１９５に回転可能に支持されて、太陽ギア１９３と噛合している。太陽ギア１９３の回転方向によって、遊星ギア１９４は、ベベルギア１９６と噛合する位置と、ベベルギア１９６と噛合しない位置とに移動する。
【００８３】
ベベルギア１９６は、ベベルギア１６４と噛合している。ベベルギア１９６とベベルギア１６４との噛合によって、ギア列１３６からギア列１３４へ回転が伝達される。ベベルギア１６４と噛合するギア１５３の回転は、軸１８４を通じてギア１７３に伝達される。これにより、ギア列１３４とギア列１３５とが同期して回転する。
【００８４】
図１４及び図１５に示されるように、第２フレーム１３２は、クリーナ１０２及びギア列１４０を支持する。クリーナ１０２は、ブレード１１１に付着したインクを拭い取るものである。図２及び図３に示されるように、クリーナ１０２は、左右方向９においてキャップ７３とブレード１１１との間に位置する。
【００８５】
図１４及び図１５に示されるように、クリーナ１０２は、フォーム２０１（クリーナ本体の一例）、プレート２０２（フォーム支持部材の一例）、クリーナホルダ２０３を有する。フォーム１０２は、クリーニング液を含浸して保持可能な部材であり、例えば、発泡により微細孔が形成された樹脂である。プレート２０２はフォームを２０１を支持する。フォーム２０１は、扁平な平板形状であり、プレート２０２と反対側に露出される最大面がクリーニング面２０１Ａである。クリーニング面２０１Ａは、上下方向７及び前後方向８に拡がっている。すなわち、クリーニング面２０１Ａは、印刷ヘッド２４のノズル面２４３と交差している。
【００８６】
図１５に示されるように、ギア列１４０は、減速ギア２１１、直列に噛合する３つのギア２１２，２１３，２１４を有する。減速ギア２１１、直列に噛合する３つのギア２１２，２１３，２１４の各軸線は、いずれも左右方向９に沿っている。減速ギア２１１は、第２位置の遊星ギア１９４と噛合する。また、減速ギア２１１は、ギア２１２と噛合している。減速ギア２１１は、遊星ギア１９４の回転を所定の減速比でギア２１２に伝達する。ギア２１２，２１３を通じて、ギア２１３に回転が伝達される。
【００８７】
連結棒２１５は、ギア２１３の軸線から径方向へ離れた箇所と、クリーナホルダ２０３の下端部とを連結している。連結棒２１５は、ギア２１３の回転を、クリーナホルダ２０３の上下方向７の往復運動として伝達する。ギア２１３及び連結棒２１５はクランクを構成している。
【００８８】
クリーナホルダ２０３は、フォーム２０１のクリーニング面２０１Ａを右方へ、すなわち第２フレーム１３２と反対向きへ向けた状態でプレート２０２を支持している。第２フレーム１３２は、クリーナホルダ２０３の前後方向８の両側に位置するガイド部材２０４を支持する。ガイド部材２０４は、上下方向７に沿って延びる部材であり、クリーナホルダ２０３の前後方向８の両端と嵌まり合って、クリーナホルダ２０３を上下方向７に沿ってスライド可能に支持する。クリーナホルダ２０３のスライドによって、フォーム２０１は、第２位置のブレード１１１よりも下方の第３位置（図１７の実線位置）と、第２位置のブレード１１１よりも上方の第４位置（図１７の破線位置）とに移動する。フォーム２０１が第３位置にあるとき、クリーナ１０２は、印刷ヘッド２４のノズル面２４３よりも下方に位置する。換言すれば、フォーム２０１が第３位置にあるとき、クリーナ１０２は、上下方向７において印刷ヘッド２４と重複しない。
【００８９】
クリーナホルダ２０３は、鍔部２０５を有する。鍔部２０５は、プレート２０２の下方からフォーム２０１より右方へ突出している。鍔部２０５の突出端は、下方へ垂れ下がっている。鍔部２０５は、軸１８４（図８参照）及び受け皿１３７の上方に位置している。鍔部２０５は、第１フレーム１３１の前壁１４１と後壁１４２との間において、軸１８４の殆どを覆っている。鍔部２０５の突出端は、軸１８４より右方であって、受け皿１３７の上方に位置する。
【００９０】
図１８から図２１に示されるように、プレート２０２は、クリーナホルダ２０３に対して上下方向７に着脱可能である。図２０及び図２１に示されるように、プレート２０２は、上下方向７の上方へ開口する矩形の皿形状である。具体的には、プレート２０２は、上下方向７及び前後方向８に沿って拡がる側壁２２１と、側壁２２１の前端と連続して左右方向９の右方へ延びる前壁２２２と、側壁２２１の後端と連続して左右方向９の右方へ延びる後壁２２３と、側壁２２１の下端と連続して左右方向９の右方へ延びる下壁２２４と、を有する。プレート２０２において皿形状の凹んだ部分、すなわち側壁２２１の右方にフォーム２０１が、前壁２２２、後壁２２３、及び下壁２２４に囲まれている。フォーム２０１の上端は、プレート２０２によって覆われておらず、上方へ向いて露出している。
【００９１】
プレート２０２の前壁２２２及び後壁２２３には、それぞれにおいて上下方向７に離れて位置する２つのボス２２５が、前方又は後方へそれぞれ突出している。各ボス２２５は、クリーナホルダ２０３の凹溝２２０に嵌まり込む。クリーナホルダ２０３の凹溝２２０は、前後方向８に離れて２つが位置している。２つの凹溝２２０は、上下方向７に沿って延びている。２つの凹溝２２０の開口は、相互に向き合っている。また、２つの凹溝２２０の上端は開口している。２つの凹溝２２０に、プレート２２０の前壁２２２に位置するボス２２５又は後壁２２３に位置するボス２２５が嵌まり込む。クリーナホルダ２０３に嵌まり込んだプレート２２０は、その下端が鍔部２０５に当接することによって支持される。
【００９２】
図１８から図２１に示されるように、プレート２２０は、把持部２２６を有する。把持部２２６は、側壁２２１の上端から上方へ突出している。フォーム２０１の上端は、側壁２２１の上端より下方に位置する。したがって、把持部２２６は、上下方向７の上向きにおいて、フォーム２０１より突出している。把持部２２６は、左右方向９において、クリーニング面２０１Ａよりブレード１１１から遠い（離れている）。
【００９３】
把持部２２６は、平板形状である。把持部２２６において左右方向９を向く左面２２６Ｌ及び右面２２６は、把持部２２６の外面のうち最大面積であって、クリーニング面２０１Ａと平行である。左面２２６Ｌ及び右面２２６は、側壁２２１において左右方向９を向く面と同一面を構成する。つまり、把持部２２６の左右方向９に沿った厚みは、側壁２２１の左右方向９に沿った厚みと同じである。
【００９４】
把持部２２６は、係合爪２２７を有する。係合爪２２７は、左面２２６Ｌから左右方向９の左向きへ突出している。側壁２２１において把持部２２６の前端及び後端に相当する箇所には、上下方向７の下向きへ延びるスリット２２８がそれぞれ形成されている。各スリット２２８は、把持部２２６が左右方向９へ弾性変形することを容易にする。
【００９５】
クリーナホルダ２０３の上端において係合爪２２７に対応する箇所には、左右方向９へ向いて開口する環部２１９が位置する。クリーナホルダ２０３に支持されたプレート２０２は、係合爪２２７が環部２１９の内部空間に進入して環部２１９と係合することによって、上下方向７の上向きへの移動が制止される。把持部２２６が左右方向９の右向きへ弾性変形することによって、係合爪２２７と環部２１９との係合が解除される。
【００９６】
［開口１２とクリーナ１０２及びヒータ２６の配置］
図２３に示されるように、上下方向７の下向きに視て、開口１２は、前後方向８又は左右方向９に沿った各辺を有する長方形である。前後方向８における開口１２の寸法Ｌ１は、前後方向８におけるクリーナ１０２のプレート２０２の寸法Ｌ３よりも大きい（Ｌ１＞Ｌ３）。左右方向９における開口１２の寸法（Ｌ２）は、左右方向９におけるプレート２０２の寸法（Ｌ４）よりも大きい（Ｌ３＞Ｌ４）。
【００９７】
筐体１４は、左右方向９における両端である右端１４Ｒ（第１端の一例）と左端１４Ｌ（第２端の一例）とを有する。プラテン２５は、左右方向９における両端である右端２５Ｒ（第３端の一例）と左端（第４端の一例）とを有する。開口１２は、左右方向９における両端である右端１２Ｒ（第５端の一例）と左端１２Ｌ（第６端の一例）とを有する。ヒータ２６は、左右方向９における両端である右端２６Ｒ（第７端の一例）と左端２６Ｌ（第８端の一例）とを有する。
【００９８】
左右方向９において、プラテン２５の右端２５Ｒは、筐体１４の右端１４Ｒとプラテン２５の左端２５Ｌとの間に位置する。開口１２の右端１２Ｒは、筐体１４の右端１４Ｒと開口１２の左端１２Ｌとの間に位置する。プラテン２５の右端２５Ｒは、筐体１４の右端１４Ｒと開口１２の右端１２Ｒとの間に位置する。プラテン２５の左端２５Ｌは、開口１２の右端１２Ｒと開口１２の左端１２Ｌの間に位置する。ヒータ２６の右端２６Ｒ及び左端２６Ｌは、筐体１４の右端１４Ｒと開口１２の右端１２Ｒとの間に位置する。
【００９９】
［ワイピング動作］
以下、図１６が参照されつつワイピング動作（第１スライド動作の一例）が説明される。
ワイピング動作の前、例えば、画像記録が実行されるときなどにおいて、ブレード１１１は第２位置である。第２位置のブレード１１１は、左右方向９に移動する印刷ヘッド２４のノズル面２４３と接触しない。また、クリーナ１０２のフォーム２０１は第３位置にある。第３位置のフォーム２０１は、左右方向９に移動する印刷ヘッド２４と接触しない。
【０１００】
ワイピング動作において、モータ１０４が駆動されると、モータ１０４の回転（本実施形態では正回転とする。）が、ギア列１３６を介してギア列１３４，１３５に伝達される。モータ１０４が正回転するとき、遊星ギア１９４は、ベベルギア１９６と噛合する。
【０１０１】
モータ１０４の正回転によって、ギア列１３４，１３５は、入力軸１４４を通じてブレード１１１をシャフト１１８周りに回動させる。光学センサ１５６が被検知壁１５５を検知することによって、ギア１５２が、ブレード１１１が第１位置となる回転位置に到達したか、ブレード１１１が第２位置となる回転位置に到達したかが判定される。
【０１０２】
図１６に示されるように、ブレード１１１が第１位置となる回転位置にギア１５２が到達すると、モータ１０４の回転が停止される。回転が停止されたモータ１０４は、励磁された状態に維持される。モータ１０４が励磁されており、遊星ギア１９４がベベルギア１９６と噛合しているので、ブレード１１１にノズル面２４３が接触しても、ブレード１１１が第１位置に保持される。
【０１０３】
ブレード１１１が第１位置に保持された状態で、キャップ７３の上方に位置するキャリッジ２４１が左右方向９の右方へ移動されると、印刷ヘッド２４のノズル面２４３がブレード１１１の先端に当接しつつ移動する。すなわち、ノズル面２４３とブレード１１１とが接触しつつ相対移動する。これにより、ノズル面２４３に付着しているインクがブレード１１１によって拭い取られる。また、フォーム２０１が第３位置にあるので、クリーナ１０２はノズル面２４３と接触しない。
【０１０４】
［クリーニング動作］
以下、図１７が参照されつつクリーニング動作（第２スライド動作の一例）が説明される。
クリーニング動作が開始される前は、クリーナ１０２のフォーム２０１は第３位置（待機位置）にある。また、キャリッジ２４１は、ブレード１１１やクリーナ１０２の上方ではなく、キャップ７３の上方、またはプラテン２５の上方に位置する。クリーニング動作において、ワイピング動作と同様に、モータ１０４が正回転されると、ブレード１１１がシャフト１１８周りに回動する。図１７に示されるように、ブレード１１１が第２位置となる回転位置にギア１５２が到達すると、モータ１０４の回転が停止される。第３位置のフォーム２０１は、第２位置のブレード１１１より下方に位置する。
【０１０５】
ブレード１１１が第２位置であるとき、ブレードホルダ１１２の仕切壁１１３の下部１１３Ｌの最下位置よりも上方にシャフト１１８が位置する。第２位置のブレード１１１の先端部（図１７における左端部）は、第１位置のブレード１１１の先端部（図１６における上端部）よりも、左右方向９においてフォーム２０１のクリーニング面２０１Ａに近い。
【０１０６】
ブレード１１１が第２位置にされた後、モータ１０４が逆回転される。モータ１０４の逆回転によって、遊星ギア１９４は、ベベルギア１９６から離れてギア列１４０の減速ギア２１１と噛合する。これにより、モータ１０４の逆回転が、ギア列１４０を通じて、クリーナホルダ２０３に伝達される。モータ１０４の回転が伝達されたクリーナホルダ２０３は、第３位置から第４位置へ移動する。第４位置にクリーナホルダ２０３が位置するとき、フォーム２０１は、図１７において破線で示される位置にある。
【０１０７】
第３位置から第４位置へクリーナホルダ２０３が移動すると、ブレード１１１の先端部にフォーム２０１のクリーニング面２０１Ａが当接しつつフォーム２０１が上方へ移動する。すなわち、ブレード１１１がクリーニング面２０１Ａに接触しつつ相対移動する。これにより、ブレード１１１に付着しているインク、特に第２位置のブレード１１１の下面に付着しているインクが、フォーム２０１によって拭い取られる。
【０１０８】
フォーム２０１がブレード１１１に接触しつつ上方へ移動すると、ブレード１１１に第２位置から第１位置へ移動する力が加わる。つまり、図１７において、ブレードホルダ１１２を時計回りへ回転させる力がブレードホルダ１１２に加わる。
【０１０９】
ブレード１１１が第２位置であるとき、ストッパ１５８は、ギア１５３が図１２における時計回りへ回転することを規制している。ストッパ１７８は、ギア１７３が図１３における反時計回りへ回転することを規制している。すなわち、ストッパ１５８，１７８は、ブレードホルダ１１２が第２位置から第１位置へ移動することによるギア１５３，１７８の回転を規制している。これにより、フォーム２０１がブレード１１１に接触しつつ上方へ移動しても、第２位置のブレード１１１が第１位置へ移動しない。
【０１１０】
クリーニング動作においてクリーナ１０２が移動する方向は上下方向７に沿っており、他方、ワイピング動作においてキャリッジ２４１が移動する方向は左右方向９に沿っている。つまり、クリーニング動作においてクリーナ１０２が移動する方向は、ワイピング動作においてキャリッジ２４１が移動する方向と交差している。また、フォーム２０１が第３位置から第４位置へ移動するとき、クリーナ１０２は、上下方向７におけるノズル面２４３の位置を通過する。
【０１１１】
第４位置のフォーム２０１のクリーニング面２０１Ａは、第２位置のブレード１１１より上方に離れている。フォーム２０１が第４位置であるとき、第２位置のブレード１１１が第１位置となるまで、モータ１０４が正回転される。ブレード１１１が第１位置となった後、第４位置のフォーム２０１が第３位置となるまで、モータ１０４が逆回転される。そして、フォーム２０１が第３位置に到達すると、第１位置のブレード１１１が第２位置となるまで、モータ１０４が正回転される。これにより、クリーニング動作が終了する。
【０１１２】
［プレート２０２の取り外し］
クリーニング動作が繰り返されると、ブレード１１１から拭い取られたインクがフォーム２０１に蓄積する。その結果、クリーニング動作が実行されても、フォーム２０１によってブレード１１１に付着しているインクが十分に拭い取れないおそれがある。したがって、フォーム２０１は、定期的に交換されることが望ましい。フォーム２０１を交換するために、クリーナホルダ２０３からプレート２０２が取り外される。
【０１１３】
ユーザが操作パネル１７にフォーム２０１の交換のための入力（交換入力の一例）を行うと、制御基板７５は、第２位置の印刷ヘッド２４を第１位置に移動させる。第１位置の印刷ヘッド２４は、第２位置の印刷ヘッド２４よりも開口１２から遠い。また、制御基板７５は、センサ２３がローレベル信号を出力していることを条件として、すなわち取り替え用カバー１９が閉状態であることを条件として、モータ７８を駆動して、図３に破線で示されるように、クリーナ１０２のクリーナホルダ２０３を第４位置（交換位置の一例）に移動する。図２２に示されるように、第４位置のクリーナホルダ２０３において、プレート２０２の把持部２２６は、印刷ヘッド２４のノズル面２４３より上方に位置して、取り替え用カバー１９に最も近づく。第４位置のクリーナホルダ２０３において、プレート２０２は、開口１２の下方に位置する。また、図３に示されるように、第４位置のクリーナ１０２の上端（把持部２２６）は、印刷ヘッド２４、ワイパ１０１、回動機構１０３、プラテン２５、及びガイドレール２４４のいずれよりも上方にあって、開口１２に近い。続いて、制御基板７５は、取り替え用カバー１９を開放することを促す開放表示をディスプレイ１７Ａに表示する。そして、ユーザが取り替え用カバー１９を開くと、把持部２２６に、装置外部からアクセス可能となる。
【０１１４】
ユーザが把持部２２６を摘まんで左右方向９の右向きへ弾性変形させると、係合爪２２７と環部２１９との係合が解除される。この状態から、プレート２０２は、クリーナホルダ２０３に対して上方へ移動されて取り外し可能である。プレートホルダ２０３に対して上方へ移動されたプレート２０２は、開口１２を通じて装置外部へ取り出される。つまり、プレート２０２と共にフォーム２０１が装置外部へ取り出される。そして、新しいプレート２０２が装置外部からクリーナホルダ２０３に取り付けられて、新しいプレート２０２の係合爪２２７が環部２１９と係合される。そして、取り替え用カバー１９が閉じられて、操作パネル１７にフォーム２０１の取り替えが完了したことを示す入力がなされると、制御基板７５は、モータ７８を駆動して、第４位置のクリーナホルダ２０３を第３位置へ移動する。第３位置のクリーナホルダ２０３において、プレート２０２の把持部２２６は、印刷ヘッド２４のノズル面２４３より下方に位置する。また、制御基板７５は、第１位置の印刷ヘッド２４を第２位置に移動する。これにより、フォーム２０１の交換が完了する。
【０１１５】
［実施形態の作用効果］
前述された実施形態によれば、クリーナ１０２が筐体１４の開口１２の下方にあるので、開口１２を通じてクリーナホルダ２０３に対してプレート２０２を交換しやすい。また、上下方向７の下向きに視て、筐体１４の開口１２がプラテン２５の右端２５Ｒ及び左端２５Ｌを露出しないので、開口１２を通じてユーザがプラテン２５付近に手を挿入することが抑制される。
【０１１６】
また、上下方向７の下向きに視て、筐体１４の開口１２がヒータ２６を露出しないので、開口１２を通じてユーザがヒータ２６付近に手を挿入することが抑制される。
【０１１７】
また、ワイピング動作において印刷ヘッド２４が移動する方向と、クリーニング動作においてクリーナホルダ２０３が移動する方向とが交差しているので、ブレード１１１とクリーニング面２０１Ａとが接触しつつスライドする長さを長くしても、印刷装置１０の外形が大型化せず、印刷装置１０の内部のスペース効率がよい。
【０１１８】
また、プレート２０２に把持部２２６が設けられているので、ユーザは、把持部２２６を持つことにより、クリーナホルダ２０３に対してプレート２０２を上方へ容易に持ち上げることができる。
【０１１９】
また、第４位置のクリーナホルダ２０３において、クリーナ１０２の上端（把持部２２６）がプラテン２５より上方にあるので、ユーザが、開口１２を通じてプラテン２５に接触することが抑制される。
【０１２０】
また、第４位置のクリーナホルダ２０３において、クリーナ１０２の上端（把持部２２６）が印刷ヘッド２４のノズル面２４３より上方にあるので、ユーザが、開口１２を通じてノズル面２４３に接触することが抑制される。
【０１２１】
また、第４位置のクリーナホルダ２０３において、クリーナ１０２の上端（把持部２２６）がガイドレール２４４より上方にあるので、ユーザが、開口１２を通じてガイドレール２４４に接触することが抑制される。
【０１２２】
また、第４位置のクリーナホルダ２０３において、クリーナ１０２の上端（把持部２２６）が、印刷ヘッド２４、ワイパ１０１、回動機構１０３、及びプラテン２５よりも開口に近いので、ユーザが、開口１２を通じてクリーナ１０２以外の各部材に接触することが抑制される。
【０１２３】
また、制御基板７５は、ユーザの交換入力に基づいて、クリーナホルダ２０３を第４位置へ移動した後、取り替え用カバー１９を開放することを促す開放表示をディスプレイ１７Ａに表示するので、ユーザは、交換入力をした後、取り替え用カバー１９を開放するタイミングを知ることができる。
【０１２４】
また、制御基板７５は、ユーザの交換入力に基づいて、印刷ヘッド２４を第２位置から第１位置に移動するので、プレート２０２の交換において、ユーザが印刷ヘッド２４に接触することが抑制される。
【０１２５】
また、制御基板７５は、センサ２３からローレベル信号を受信したことを条件として、交換入力に基づいてクリーナホルダ２０３を第３位置から第４位置へ移動するので、開口１２が開放された状態でブレードホルダ２０３が第４位置に移動されることがない。
【０１２６】
［変形例］
前述された実施形態では、上下方向７の下向きに視て、筐体１４の開口１２がプラテン２５の右端２５Ｒ及び左端２５Ｌを露出しないが、開口１２は、プラテン２５の右端２５Ｒを露出させてもよい。その場合、図２４に示されるように、左右方向９におけるプラテン２５の中心線２５Ｃは、筐体１４の右端１４Ｒと開口１２の右端１４Ｒとの間に位置することが好ましいが、中心線２５Ｃが開口１２の右端１４Ｒと左端１４Ｌとの間にあってもよい。
【０１２７】
また、前述された実施形態では、媒体支持部材の一例としてプラテン２５が示されているが、これに限らない。例えば、プラテン２５に代えて、シートを支持しつつ搬送方向へ移動可能なベルトや、シートを支持しつつ回転可能な回転ドラムなどが設けられてもよい。
【０１２８】
また、上下方向７から視た開口１２の外形は長方形に限らない。例えば、上下方向７から視た開口１２の外形は、菱形や四角形以外の多角形、円形、楕円形などであってもよい。
【０１２９】
また、筐体１４の内部空間の第１空間８１と第２空間８２とは、左右が逆に配置されてもよい。すなわち、プラテン２５やヒータ２６が筐体１４の内部空間の左側に位置しており、メンテナンスユニット１００が筐体１４の内部空間の右側に位置していてもよい。
【０１３０】
また、把持部２２６の形状や係合爪２２７の形状は適宜変更されてもよい。例えば、把持部２２６は、円柱形状や鈎形状などであってもよい。また、係合爪２２７に代えて、その他の公知の係合構造が採用されてもよい。また、係合爪２２７は省略されてもよい。
【０１３１】
また、前述された実施形態では、キャリッジ２４１が移動することにより、第１姿勢のブレード１１１と印刷ヘッド２４との相対的な移動が実現されているが、これに限らない。印刷ヘッド２４が移動せずに、ブレード１１１が印刷ヘッド２４に対して移動されてもよい。
【０１３２】
また、前述された実施形態では、印刷装置１０がロール紙１１に印刷するときに、印刷ヘッド２４が移動しない所謂ラインヘッド型のヘッドが採用されているが、これに限らない。例えば、印刷装置１０がロール紙１１に印刷するときに、停止されているロール紙１１に対して印刷ヘッド２４が左右方向９へ移動しつつインクを吐出し、その後にロール紙１１が改行のために搬送されることを繰り返す所謂シリアルヘッド型のヘッドが採用されてもよい。
【０１３３】
また、前述された実施形態では、クリーナ１０２が移動することにより、第２姿勢のブレード１１１とクリーナ１０２との相対的な移動が実現されているが、これに限らない。クリーナ１０２が移動せずに、ブレード１１１がクリーナ１０２に対して移動されてもよい。また、印刷ヘッド２４のノズル面２４３は、水平方向（前後方向８、左右方向９）に沿っていなくてもよい。例えば、印刷ヘッド２４のノズル面２４３は、鉛直方向（上下方向７）に沿っていてもよい。この場合、ブレード１１１は水平方向に沿って延びており、また、クリーニング面２０１Ａは、鉛直方向に沿っている。また、特開２０１７−１００３８３に記載されているように、クリーナ１０２は、クリーニング面２０１Ａを下向きとして、第１姿勢のブレード１１１に対して水平方向（左右方向９）に移動することによって、ブレード１１１に付着したインクを拭ってもよい。この場合、ブレード１１１は、必ずしも姿勢変化しなくてもよい。
【０１３４】
また、前述された実施形態では、クリーナ１０２は、液体を保持可能なフォーム２０１を有するが、クリーナ１０２はフォーム２０１を有するものに限らない。例えば、フォーム２０１に代えて、表面に凹凸形状を有する硬質樹脂や、前後方向８に延びる複数のワイヤが上下方向７に並んだものを、クリーナ１０２が有していてもよい。また、フォーム２０１に代えて、特開２００４−２３７４６２に開示されるスクレイパをクリーナ１０２が有していてもよい。
【０１３５】
また、前述された実施形態では、ブレード１１１は、シャフト１１８周りに回動することによって第１位置と第２位置とに姿勢が変更されたが、回動以外の動作によってブレード１１１の姿勢が変更されてもよい。また、姿勢変更におけるブレード１１１の先端の軌跡は円弧に限らない。例えば、姿勢変更におけるブレード１１１の先端の軌跡に、上下方向７の成分が含まれてもよい。すなわち、ブレード１１１は、上下方向７に沿って直線的に移動した後、回動するように姿勢変更されてもよい。
【０１３６】
また、タンク７０は、ブラック１色のインクを貯留するものに限定されず、例えば、ブラック、イエロー、シアン、マゼンタの４色のインクをそれぞれ貯留するものであってもよい。
【０１３７】
また、インクは、顔料や樹脂微粒子などを含む液体に限定されない。したがって、インクに、樹脂微粒子が含まれなければ、印刷装置１０は、ヒータ２６を有していなくてもよい。また、印刷ヘッド２４のノズル３０から吐出される液体は、インクに限定されない。例えば、インク中の成分を凝集又は析出させる処理液や、金属粒子が溶媒中に分散された液体などの任意の液体が印刷ヘッド２４のノズル３０から吐出されてもよい。
【０１３８】
また、排出口１３は、必ずしも筐体１４の前壁３１に形成されていなくてもよい。例えば、排出口１３が筐体１４の後壁３３に形成されて、排出口１３を通過する印刷済みのロール紙１１が、斜め上方や上方に排出されてもよい。
【０１３９】
また、前述した印刷装置１０は、ロール紙１１に印刷することが可能であるが、これに限らず、例えば、印刷装置１０は、ロール紙１１と裁断紙とに印刷する装置であってもよいし、裁断紙のみに印刷する装置であってもよい。
【０１４０】
また、印刷装置１０は、用紙に印刷するものに限らない。例えば、印刷装置１０は、Ｔシャツや屋外広告用のシート等に印刷するものであってもよい。また、印刷装置１０は、配線基板に対して配線パターンの材料等のインク以外の液体を吐出して記録を行うものであってもよい。また、印刷装置１０は、スマートフォンなどの携帯端末のケース、段ボール、樹脂などに対してインクを吐出して記録するものであってもよい。
【０１４１】
また、前述された印刷装置１０は、筐体１４の前壁３１及び後壁３２が上下方向７及び左右方向９に沿った状態で使用されるが、印刷装置１０の使用姿勢はこれに限らない。
【０１４２】
また、前述された印刷装置１０では、制御基板７５は、ユーザの交換入力に基づいて、クリーナホルダ２０３を第４位置へ移動した後、取り替え用カバー１９を開放することを促す開放表示をディスプレイ１７Ａに表示するが、この開放表示は、音声や光による報知であってもよい。例えば、印刷装置１０の操作パネル１７が、スピーカ又はライトを有しており、スピーカからの音、またはライトの発光によって、制御基板７５が、取り替え用カバー１９を開放することを促す報知を行ってもよい。
【０１４３】
また、印刷装置１０の操作パネル１７による報知に代えて、印刷装置１０と通信可能に接続されたパソコン、またはモバイル端末装置などにおいて取り替え用カバー１９を開放することを促す報知が行われてもよい。例えば、図２５に示されるように、印刷装置１０は、ＵＳＢケーブル２５１によってパソコン２５０（他のデバイスの一例）と通信可能に接続されている。なお、印刷装置１０とパソコン２５０との通信は、有線ＬＡＮや無線ＬＡＮなどの他の公知の通信方式であってもよい。
【０１４４】
印刷装置１０の制御基板７５は、ＵＳＢインタフェース２５２（通信部の一例）と接続されている。制御基板７５は、ユーザの交換入力に基づいて、クリーナホルダ２０３を第４位置へ移動した後、取り替え用カバー１９を開放することを促す開放表示をパソコン２５０のディスプレイ１７に表示するための通知を、ＵＳＢインタフェース２５２を通じてパソコン２５０へ送信する。通知を受けたパソコン２５０は、ディスプレイに開放表示を表示する。
【符号の説明】
【０１４５】
１０・・・印刷装置（液体吐出装置）
１２・・・開口
１２Ｒ・・・右端（第５端）
１２Ｌ・・・左端（第６端）
１４・・・筐体
１４Ｒ・・・右端（第１端）
１４Ｌ・・・左端（第２端）
１７Ａ・・・ディスプレイ（報知部）
１７Ｂ・・・入力キー（入力部）
１９・・・取り替え用カバー（カバー）
２３・・・センサ
２４・・・印刷ヘッド
２５・・・プラテン（媒体支持部材）
２５Ｒ・・・右端（第３端）
２５Ｌ・・・左端（第４端）
２６・・・ヒータ
２６Ｒ・・・右端（第７端）
２６Ｌ・・・左端（第８端）
３０・・・ノズル（ノズル孔）
３３・・・上壁
７５・・・制御基板（制御部）
１０１・・・ワイパ
１０２・・・クリーナ
１０２Ａ・・・クリーニング面
１０３・・・回動機構（姿勢変更機構）
１１１・・・ブレード
１１２・・・ブレードホルダ
２０１・・・フォーム（クリーナ本体）
２０１Ａ・・・クリーニング面
２０２・・・プレート（フォーム支持部材）
２０３・・・クリーナホルダ
２２６・・・把持部
２４３・・・ノズル面
２５０・・・パソコン（他のデバイス）
２５１・・・ＵＳＢインタフェース（通信部）
【図１】
2020116850.tif 000003
【図２】
2020116850.tif 000004
【図３】
2020116850.tif 000005
【図４】
2020116850.tif 000006
【図５】
2020116850.tif 000007
【図６】
2020116850.tif 000008
【図７】
2020116850.tif 000009
【図８】
2020116850.tif 000010
【図９】
2020116850.tif 000011
【図１０】
2020116850.tif 000012
【図１１】
2020116850.tif 000013
【図１２】
2020116850.tif 000014
【図１３】
2020116850.tif 000015
【図１４】
2020116850.tif 000016
【図１５】
2020116850.tif 000017
【図１６】
2020116850.tif 000018
【図１７】
2020116850.tif 000019
【図１８】
2020116850.tif 000020
【図１９】
2020116850.tif 000021
【図２０】
2020116850.tif 000022
【図２１】
2020116850.tif 000023
【図２２】
2020116850.tif 000024
【図２３】
2020116850.tif 000025
【図２４】
2020116850.tif 000026
【図２５】
2020116850.tif 000027